(57)【要約】【課題】車内に虫が侵入しやすいと推定される状況を動的な情報に基づいて判断し、ウィンドウを自動的に閉じることで車内に虫が侵入するのを防ぐ。【解決手段】パワーウィンドウ制御装置１は、自車両内に虫が侵入した経験に基づいて虫が侵入しやすいと推定される場所および日時に関する情報を取得し、さらに、通信装置３６を介して外部からも虫が侵入しやすいと推定される場所および日時に関する情報を取得する。そして、取得した情報に基づいて車内に虫が侵入しやすいと推定される状況を判断し、ウィンドウ駆動機構３３を制御してウィンドウ３４を閉める。【選択図】図１
2006009415.tif 000002
【特許請求の範囲】
【請求項１】
車両のウィンドウを開閉させるパワーウィンドウ制御装置において、
車内に虫が侵入しやすいと推定される場所および日時に関する情報を記憶する記憶手段と、
車内に虫が存在していることを検知する虫検知手段と、
この虫検知手段によって車内に虫が存在していることを検知した場合、前記車両のドアおよびウィンドウの開閉状況に基づいてこの虫が侵入したと推定される場所および日時を特定し、この特定された場所および日時を虫が侵入しやすいと推定される場所および日時に関する情報として前記記憶手段に登録する情報特定手段と、
前記記憶手段に記憶された虫が侵入しやすいと推定される場所および日時に関する情報に対応した所定の範囲に車両が近接したことを判定する判定手段とを備え、
この判定手段によって前記所定の範囲に前記車両が近接したと判定され、かつ前記車両のウィンドウが開いている場合、このウィンドウを自動的に閉めること
を特徴とするパワーウィンドウ制御装置。
【請求項２】
請求項１に記載のパワーウィンドウ制御装置において、
虫が侵入しやすいと推定される場所および日時に関する情報を記憶する外部装置と通信可能な通信手段と、
前記記憶手段に記憶された前記虫が侵入しやすいと推定される場所および日時に関する情報をこの通信手段を介して前記外部装置へ送信する情報送信手段と
を備えることを特徴とするパワーウィンドウ制御装置。
【請求項３】
車両のウィンドウを開閉させるパワーウィンドウ制御装置において、
車内に虫が侵入しやすいと推定される場所および日時に関する情報を記憶する記憶手段と、
虫が侵入しやすいと推定される場所および日時に関する情報を記憶している外部装置と通信可能な通信手段と、
この通信手段を介して前記外部装置から虫が侵入しやすいと推定される場所および日時に関する情報を受信して前記記憶手段に登録する情報受信手段と、
前記記憶手段に記憶された虫が侵入しやすいと推定される場所および日時に関する情報に対応した所定の範囲に車両が近接したことを判定する判定手段とを備え、
この判定手段によって前記所定の範囲に前記車両が近接したと判定され、かつ前記車両のウィンドウが開いている場合、このウィンドウを自動的に閉めること
を特徴とするパワーウィンドウ制御装置。
【請求項４】
請求項２に記載のパワーウィンドウ制御装置において、
前記通信手段は、虫が侵入しやすいと推定される場所および日時に関する情報を記憶している外部装置と通信可能であり、
前記通信手段を介してこの外部装置から虫が侵入しやすいと推定される場所および日時に関する情報を受信して前記記憶手段に登録する情報受信手段を備えること
を特徴とするパワーウィンドウ制御装置。
【請求項５】
請求項３または４に記載のパワーウィンドウ制御装置において、
前記情報受信手段は、前記通信手段を介して外部装置から前記虫が侵入しやすいと推定される場所および日時に関する情報を受信する際、前記外部装置によって当該場所の天候条件を加味して送信された情報を受信すること
を特徴とするパワーウィンドウ制御装置。
【請求項６】
請求項１から５の何れかに記載のパワーウィンドウ制御装置において、
利用者にメッセージを報知する報知手段を備え、
前記記憶手段に記憶されている虫が侵入しやすいと推定される場所および日時に関する情報に対応した所定の範囲内を前記車両が走行中に、虫が侵入しやすいと推定される地域を走行中である旨のメッセージを所定のタイミングで利用者に報知すること
を特徴とするパワーウィンドウ制御装置。
【発明の詳細な説明】
【技術分野】
【０００１】
本発明は、車両のウィンドウを開閉させるパワーウィンドウ制御装置に関する。
【背景技術】
【０００２】
従来、車両の運転中において車両のウィンドウの開閉を行う際には、乗員がパワーウィンドウ開閉スイッチを操作することでウィンドウの開閉を行っている。
一方、特許文献１では、車両のウィンドウを開閉させるべき所定の状況が発生した時に、自動的にウィンドウを開閉させる技術を開示している。この特許文献１に開示されている発明におけるウィンドウを開閉させるべき所定の状況とは、車両が有料道路の料金所に到達した時、車両がトンネルを走行する時、車両がガソリンスタンドに到達した時である。これらの状況は、車両の走行案内を行うナビゲーション手段からの位置情報に基づいて判定される。このウィンドウを開閉させるべき状況を判断する基準となる位置情報は、ナビゲーション手段の記憶媒体に予め記憶されている地図データに基づくものであり、外的な状況によって内容が変化しない、いわゆる「静的な情報」である。
【特許文献１】特開平９−１９５６２９号公報
【発明の開示】
【発明が解決しようとする課題】
【０００３】
田園地帯、森林地帯、河川や池の近く、藪の近くおよび夜間の街灯の近傍など、蚊や蛾などの虫が多く生息する場所で車両のウィンドウやドアを開けた際、車内に虫が侵入することがある。侵入した虫が車内を飛び回ると運転者の運転に対する集中力が散漫になり、注意不足に起因する交通事故等が発生するおそれがあり大変危険である。虫が車内に侵入するのを防ぐためには、虫が多く生息する地域に到達する前に予めウィンドウを閉めておくという対応が有効である。しかしながら、建物などの人工物とは違い、地図を参照するだけでは虫が多く生息する場所を特定することは困難であり、しかも虫が多く発生する状況は季節や時間帯等によって変化するため、同じ場所であっても常に虫が多く発生しているとは限らない。そのため、何らかの理由でウィンドウを開けて走行している場合、虫が多く生息する地域に到達する前に予めウィンドウを閉めるという対応を運転者がするのは困難である。また、特許文献１に開示されている技術では地図情報のような静的な情報に基づいてウィンドウを開閉させているので、虫が多く発生する場所のように場所の特定が困難であって季節や時間帯等によって状況が変化する場合には十分な効果を得ることができない。
【０００４】
本発明は上述のような課題に鑑みなされており、動的な情報に基づいてウィンドウを自動的に閉じることで虫の侵入を防ぐことができるパワーウィンドウ制御装置を提供することにある。
【０００５】
なお、ここでは外的な状況によって内容が変化しない「静的な情報」に対して、虫が多く発生する場所のように、位置の特定が困難であり季節や時間帯等によって状況が変化する情報を「動的な情報」と位置づける。
【課題を解決するための手段】
【０００６】
上記課題を解決するためになされた請求項１に記載のパワーウィンドウ制御装置は、車内に虫が侵入しやすいと推定される場所および日時に関する情報を記憶する記憶手段と、車内に虫が存在していることを検知する虫検知手段と、この虫検知手段によって車内に虫が存在していることを検知した場合、車両のドアおよびウィンドウの開閉状況に基づいてこの虫が侵入したと推定される場所および日時を特定し、この特定された場所および日時を虫が侵入しやすいと推定される場所および日時に関する情報として記憶手段に登録する情報特定手段と、記憶手段に記憶された虫が侵入しやすいと推定される場所および日時に関する情報に対応した所定の範囲に車両が近接したことを判定する判定手段とを備え、この判定手段によって所定の範囲に車両が近接したと判定され、かつ車両のウィンドウが開いている場合、このウィンドウを自動的に閉めることを特徴とする。
【０００７】
このように、自車両内に虫が侵入した経験に基づいて虫が侵入しやすいと推定される場所および日時に関する情報を取得することで、虫が多く発生する状況を場所だけの情報で判断するのではなく場所および日時を加味した動的な情報に基づいて判断することができる。そして、この動的な情報に基づいて自動的にウィンドウを閉めることで、同じ場所であっても例えば季節や時間帯によって虫の発生状況が変化するような場合において効果的に虫の侵入を防ぐことができる。
【０００８】
また、実際に自車両内に虫が侵入した経験に基づいて虫が侵入しやすいと推定される場所および日時に関する情報を取得するので、自車両が走行中に信頼性が高い情報を容易に収集することができ、人が調査をして情報を収集するよりもコストや手間がかからない。
【０００９】
なお、ウィンドウを閉めるべき状況を判定する際の基準となる、虫が侵入しやすいと推定される場所および日時に関する情報に対応した所定の範囲の設定としては、例えば、当該日付の前後２週間のうち当該時刻の前後２時間の間に当該場所の半径５ｋｍの範囲に車両が近接した場合にウィンドウを閉めるようにするといった設定が考えられる。この所定の範囲の設定については、記憶されている場所および日時に対してウィンドウを閉める範囲を一意的に定めてもよいが、例えば、虫が発生しやすいと思われる夏季は記憶されている場所および日時を基準に比較的広い範囲を設定したり、虫があまり発生しないと思われる冬季は記憶されている場所および日時を基準に比較的狭い範囲を設定したり、山間部や田園地帯では比較的広い範囲を設定したり、都市部ならば比較的狭く設定するというように、時期や地域を考慮して設定することも好ましい。
【００１０】
一方、請求項２に記載のように、虫が侵入しやすいと推定される場所および日時に関する情報を記憶する外部装置と通信可能な通信手段を備え、記憶手段に記憶された虫が侵入しやすいと推定される場所および日時に関する情報をこの通信手段を介してこの外部装置へ送信するように構成することで、一の車両に搭載されているパワーウィンドウ制御装置が走行中に収集した虫が侵入しやすいと推定される場所および日時に関する情報を他の車両に搭載されているパワーウィンドウ制御装置が利用することができる。例えば、車両の走行中にパワーウィンドウ制御装置が収集した虫が侵入しやすいと推定される場所および日時に関する情報を通信手段を介して外部の情報センタに送信し、情報センタでは送信された情報を蓄積し、他の車両に搭載されたパワーウィンドウ制御装置に配信する構成等が考えられる。あるいは、他の車両に搭載されているパワーウィンドウ制御装置と直接通信する構成のような、いわゆる車々間通信によって自車の走行中にパワーウィンドウ制御装置が収集した虫が侵入しやすいと推定される場所および日時に関する情報を他の車両に搭載されているパワーウィンドウ制御装置に直接送信するような構成であっても良い。
【００１１】
また、他の車両に搭載されたパワーウィンドウ制御装置が自ら収集して送信した情報を自車両で取得して利用するには、請求項３に記載のように、車内に虫が侵入しやすいと推定される場所および日時に関する情報を記憶する記憶手段と、虫が侵入しやすいと推定される場所および日時に関する情報を記憶している外部装置と通信可能な通信手段と、この通信手段を介して外部装置から虫が侵入しやすいと推定される場所および日時に関する情報を受信して記憶手段に登録する情報受信手段と、記憶手段に記憶された虫が侵入しやすいと推定される場所および日時に関する情報に対応した所定の範囲に車両が近接したことを判定する判定手段とを備え、この判定手段によって前記所定の範囲に前記車両が近接したと判定され、かつ前記車両のウィンドウが開いている場合、このウィンドウを自動的に閉めるように構成されると良い。
【００１２】
自車両の走行中に虫が侵入した経験に基づいて虫が侵入しやすいと推定される場所および日時に関する情報を取得する場合、情報が取得できるのは実際に走行したことがある道路における情報に限られるが、通信手段を介して虫が侵入しやすいと推定される場所および日時に関する情報を記憶している外部装置から情報を取得することで、実際に走行したことがない地域における虫が侵入しやすいと推定される場所および日時に関する情報を取得することができる。従って、初めて走行する道路においても虫が侵入しやすいと推定される地域に到達する前に予め自動的にウィンドウを閉めることができ、虫の侵入を効果的に防ぐことができる。
【００１３】
具体的には、他の車両に搭載されたパワーウィンドウ制御装置から送信された虫が侵入しやすいと推定される場所および日時に関する情報を情報センタで蓄積し、この情報センタから配信される情報を自車両で受信することで、他の車両に搭載されたパワーウィンドウ制御装置が走行中に収集した情報を自車両で利用することができる。このような情報センタに情報を蓄積して配信する構成においては、走行中に自ら情報を収集して情報センタに送信する車両が数多く走行すれば、情報センタには多くの車両から送信された情報が蓄積されることになり、その情報を受信することで、初めて走行する地域であっても多くの情報を利用することができる。
【００１４】
なお、情報センタから情報を配信する際は、車両側の要求する場所および日時を考慮した条件に合致する情報のみを選択して配信するようにすれば、不要な情報を送受信することがないため通信負荷を減らすことができる。また、車両側では、自車の走行に合わせて逐次情報を情報センタから受信して記憶手段に更新登録していくことで、最新の情報を取得することができる。あるいは、情報センタを介して情報の受信を行う構成以外に、車々間通信によって他の車両に搭載されているパワーウィンドウ制御装置から情報を直接受信するような構成であっても良い。
【００１５】
また、請求項４に記載のパワーウィンドウ制御装置のように、虫が侵入しやすいと推定される場所および日時に関する情報を記憶する外部装置および前記情報を記憶している外部装置と通信可能な通信手段を備え、記憶手段に記憶された虫が侵入しやすいと推定される場所および日時に関する情報をこの通信手段を介して前記情報を記憶する外部装置へ送信し、さらに通信手段を介して前記情報を記憶している外部装置から虫が侵入しやすいと推定される場所および日時に関する情報を受信して前記記憶手段に登録するように構成しても良い。つまり、自車両に搭載されたパワーウィンドウ制御装置が虫検知手段によって車内で虫を検知することで虫が侵入しやすいと推定される場所および時間に関する情報を自ら取得し、その情報を情報センタや他のパワーウィンドウ制御装置等の外部装置に送信する。さらに、通信手段を介して情報センタや他のパワーウィンドウ制御装置等の外部装置からも虫が侵入しやすいと推定される場所および時間に関する情報を取得することで、自車に搭載されたパワーウィンドウ制御装置が自ら収集した情報と、他の車両に搭載されたパワーウィンドウ制御装置が収集した情報とを利用することができ、虫が侵入しやすいと推定される場所および時間に関する情報をより効果的に取得することができる。そして、このような構成のパワーウィンドウ制御装置を搭載した車両が数多く走行することで、より多くの情報を効果的に収集して利用することが可能である。
【００１６】
ところで、虫が多く発生する条件には、例えば、晴天時には虫が発生するが雨天時にはほとんど発生しない、といったいわゆる天候に関する条件も影響すると考えられる。したがって、虫が侵入しやすい場所および日時に関する情報に天候に関する条件を加味することで情報の信頼性がより向上すると考えられる。
【００１７】
そこで、請求項５に記載のように、通信手段を介して外部装置から虫が侵入しやすい場所および日時に関する情報を受信する際、外部装置によって当該場所の天候条件を加味して送信された情報を受信するように構成すると良い。例えば、情報センタを介して情報の受信を行う構成の場合、情報センタでは車両から送信された虫が侵入しやすいと推定される場所および日時に関する情報を、外部の気象センタ等から取得した当該場所における当時の天候情報と共に蓄積する。そして、車両から当該場所における情報の配信を要求された場合、情報センタでは気象センタ等から取得した当該場所の現在の天候情報を考慮して情報を配信し、車両は情報センタによって天候情報を加味して送信された情報を受信する方法等が挙げられる。具体的には、車両から情報センタに送信されてきた情報の当該日時の当該場所の天候が晴天であるならば、情報センタは車両から情報の配信を要求された当該場所の天候が晴天のときのみその情報を配信し、車両に搭載されたパワーウィンドウ制御装置はこの天候条件を加味して配信された情報を受信するといった対応等を行うことが考えられる。このように、虫が侵入しやすいと推定される場所および日時に関する情報に天候条件を加味することによって、より信頼性の高い情報を取得することができる。さらに、天候の合致しない情報を送受信しないことで通信負荷を軽減することもできる。
【００１８】
一方、車内に虫が侵入しないようにするためには、虫が侵入しやすいと推定される地域に到達する前に予めウィンドウを閉めるという対応以外に、虫が侵入しやすいと推定される地域を走行中にウィンドウを開けないようにする対応も有効である。ただし、強制的にウィンドウを開かないようにすると、車内に虫が侵入しないようにウィンドウを閉めておくべき状況よりも優先される状況によってウィンドウを開けたい場合であってもウィンドウを開けることができなくなり、利用者に不便をもたらすことになる。
【００１９】
そこで、請求項６に記載のように、虫が侵入しやすいと推定される場所および日時に関する情報に対応した所定の範囲内を車両が走行中に、虫が侵入しやすい地域を走行中である旨のメッセージを所定のタイミングで利用者に報知することで「今ウィンドウを開けると虫が侵入するかもしれない。」ということを利用者に認識させることができる。したがって、虫が侵入しやすいと推定される地域を走行中に利用者が不用意にウィンドウを開けてしまい、その結果車内に虫が侵入するという事態を未然に防止することができる。また、利用者は「今ウィンドウを開けると虫が侵入するかもしれない。」ということを認識した上で、ウィンドウを開けるべき状況の軽重を判断してウィンドウを開けるか否かを判断することができる。なお、虫が侵入しやすいと推定される地域を走行中である旨のメッセージを報知するタイミングとしては、例えば、虫が侵入しやすいと推定される地域に到達した時点や、利用者がウィンドウを開けるためのスイッチ操作を行った時点等、種々のタイミングが挙げられる。
【発明を実施するための最良の形態】
【００２０】
以下、本発明が適用された実施例について図面を用いて説明する。なお、本発明の実施の形態は、下記の実施例に何ら限定されることなく、本発明の技術的範囲に属する限り種々の形態を採りうる。
【００２１】
［パワーウィンドウ制御装置１の説明］
図１は実施例のパワーウィンドウ制御装置１の概略構成を示すブロック図である。
図１に示すように、本実施例のパワーウィンドウ制御装置１は、カーナビゲーション機能を有するナビゲーション装置１０と、パワーウィンドウ制御回路３２と、ウィンドウ駆動機構３３と、ウィンドウ３４と、パワーウィンドウ開閉スイッチ３５とで構成されている。
【００２２】
ナビゲーション装置１０は、車両の現在位置を検出する位置検出器２１と、利用者からの各種指示を入力するための操作スイッチ群２２と、日時を計時するカレンダクロック２３と、車内に虫を検知した情報を入力する虫検知情報入力器２４と、地図データおよび各種の情報を記録した外部記録媒体から地図データ等を入力する地図データ入力器２５と、地図表示画面やＴＶ画面等の各種表示を行うための表示装置２６と、各種のガイド音声等を出力するための音声出力装置２７と、制御回路２９に接続され、各種情報を記憶するメモリ２８と、図示しないドアの開閉状況を入力するドアセンサ入力器３０と、ウィンドウ３４の開閉状況を入力するウィンドウセンサ入力器３１と、通信装置３６と、制御回路２９とを備えている。
【００２３】
位置検出器２１は、ＧＰＳ用の人工衛星からの送信電波をＧＰＳアンテナを介して受信し、車両の位置等を検出するＧＰＳ受信機２１ａと、車両に加えられる回転運動の大きさを検出するジャイロスコープ２１ｂと、車両の走行した距離を検出するための距離センサ２１ｃと、地磁気から進行方位を検出するための地磁気センサ２１ｄとを備えている。そして、これら各センサ等２１ａ〜２１ｄは、各々が性質の異なる誤差を有しているため、互いに補完しながら使用するように構成されている。なお、精度によっては、上述したうちの一部のセンサで構成してもよく、またステアリングの回転センサや各転動輪の車輪センサ等を用いてもよい。
【００２４】
操作スイッチ群２２は、表示装置２６と一体に構成され表示画面上に設置されるタッチパネルおよび表示装置２６の周囲に設けられたメカニカルなキースイッチ等が用いられる。なお、タッチパネルと表示装置２６とは積層一体化されており、タッチパネルには、感圧方式，電磁誘導方式，静電容量方式，あるいはこれらを組み合わせた方式など各種の方式があるが、その何れを用いてもよい。
【００２５】
虫検知情報入力器２４は、車内に存在する虫を検知するための図示しないセンサ等からの入力に基づいて車内に虫が存在していることを検知し、その虫を検知した情報を制御回路２９に入力する。車内に存在する虫を検知するためのセンサとしては、例えば、フロントガラスやリアガラスの内面に赤外線ビームを縦横に張り巡らせ、ガラス付近を飛回る虫によってビームが遮られることで虫の存在を検知するセンサ等が挙げられる。あるいは、利用者からスイッチ入力などによって車内に虫が存在していることを受付けるような構成であっても良いし、複数のセンサおよび入力スイッチ等を組み合わせて用いても良い。
【００２６】
地図データ入力器２５は、位置検出精度向上のためのいわゆるマップマッチング用データ、地図データや経路案内用データ等を含む各種のデータを入力するための装置である。これらのデータの記録媒体としては、ハードディスク、ＤＶＤ、ＣＤ−ＲＯＭ、メモリ、メモリカード等を用いることができる。
【００２７】
表示装置２６は、カラー表示装置であり、液晶ディスプレイ，プラズマディスプレイ，ＣＲＴ等があるが、そのいずれを用いてもよい。表示装置２６の表示画面には、位置検出器２１にて検出した車両の現在位置と地図データ入力器２５より入力された地図データとから特定した現在地を示すマーク、目的地までの誘導経路、名称、目印、各種施設のシンボルマーク等の付加データとを重ねて表示することができる。また、施設のガイド等も表示できる。そして、音声出力装置２７は、地図データ入力器２５より入力した施設のガイドや各種案内の音声を出力することができる。
【００２８】
また、通信装置３６は、図示しない携帯電話等の通信機器を介して、外部の情報センタ３７と通信を行い、メモリ２８に記憶された虫が侵入しやすいと推定される場所および日時に関する情報を情報センタ３７にアップロードする。また、情報センタ３７へ情報の配信要求をすることができ、その要求に応じて情報センタ３７から配信された虫が侵入しやすいと推定される場所および日時に関する情報を受信し、メモリ２８へ格納する。
【００２９】
なお、情報センタ３７は、各車両と交信可能な無線基地局に電話回線等を通じて接続されており、その無線基地局とパワーウィンドウ制御装置１との間でデータが送受信される。また、情報センタ３７は、電話回線等を介して通信を行う回線端末装置と、必要なデータを蓄積しておくデータベースと、データを管理するサーバとを備えている。情報センタ３７は通信によってパワーウィンドウ制御装置１から送信された虫が侵入しやすいと推定される場所および日時に関する情報をデータベースに蓄積する。そして、パワーウィンドウ制御装置１から情報配信要求があった場合は、サーバが必要な情報をデータベースより検索し、回線端末装置を使用して情報を送信する。
【００３０】
制御回路２９は、上述した位置検出器２１，操作スイッチ群２２，カレンダクロック２３，虫検知情報入力器２４，地図データ入力器２５，メモリ２８，ドアセンサ入力器３０，ウィンドウセンサ入力器３１，通信装置３６らの入力に応じて各種処理を実行し、位置検出器２１，操作スイッチ群２２，カレンダクロック２３，虫検知情報入力器２４，地図データ入力器２５，表示装置２６，音声出力装置２７，メモリ２８，ドアセンサ入力器３０，ウィンドウセンサ入力器３１，パワーウィンドウ制御回路３２，通信装置３６らを制御する。この制御回路２９は、ＣＰＵ，ＲＯＭ，ＲＡＭ，Ｉ／Ｏおよびこれらの構成を接続するバスライン等からなる周知のマイクロコンピュータを中心に構成されており、ＲＯＭ等に記憶されたプログラムに従って、位置検出器２１からの各検出信号に基づき座標及び進行方向の組として車両の現在位置を算出し、地図データ入力器２５を介して読込んだ現在位置付近の地図や、操作スイッチ群２２等の操作によって指示された範囲の地図等を表示装置２６に表示する地図表示処理や、地図データ入力器２５に格納された地点データに基づき、操作スイッチ群２２等の操作に従って目的地となる施設を選択し、現在位置から目的地までの最適な経路を自動的に求める経路計算を行って経路案内を行う経路案内処理を行う。
【００３１】
このように自動的に最適な経路を設定する手法は、ダイクストラ法によるコスト計算等の手法が知られている。このダイクストラ法を用いた経路計算は、ノード間のリンクに対するリンク情報およびリンク間の接続情報を用いて現在位置から各ノードに至るまでの経路コスト（経路に対する評価値）を計算し、目的地までのすべてのコスト計算が終了した段階で、経路コストが最小となるリンクを接続して目的地までの経路を設定する周知の手法である。なお、制御回路２９は前述のような経路設定の他に、後述するようなパワーウィンドウの制御に関する各種処理も行う。
【００３２】
パワーウィンドウ制御回路３２は、パワーウィンドウ開閉スイッチ３５の操作により、モータ等から構成されるウィンドウ駆動機構３３を制御してウィンドウ３４を開閉させるものである。また、パワーウィンドウ制御回路３２は、後述するような制御回路２９から出力される開閉指示によりウィンドウ３４の開閉を行う。
【００３３】
以上、パワーウィンドウ制御装置１の概略構成について説明したが、本実施例におけるパワーウィンドウ制御装置１の構成と特許請求の範囲に記載した構成との対応は次の通りである。即ち、本実施例におけるパワーウィンドウ制御装置１の制御回路２９が、特許請求の範囲における情報特定手段，判定手段，情報送信手段，情報受信手段に相当し、虫検知情報入力器２４が虫検知手段に相当し、表示装置２６および音声出力装置２７が報知手段に相当し、メモリ２８が記憶手段に相当し、通信装置３６が通信手段に相当する。
【００３４】
以下、実施例のパワーウィンドウ制御装置１が地図表示処理を行う際に、制御回路２９が実行する各種処理について、図２から図５に示すフローチャートに基づき説明する。
［ドアまたはウィンドウが開いていた場所および日時の検知］
図２は最後にドアまたはウィンドウが開いていた場所および日時を記憶するルーチンを示すフローチャートである。
【００３５】
まず、ドアセンサ入力器３０およびウィンドウセンサ入力器３１からの入力情報に基づいてドアまたはウィンドウ３４が開いているか否かを判定し（ステップ１１０、以下単にＳ１１０と表す。以下同様）、ドアまたはウィンドウ３４が開いている場合（Ｓ１１０：ＹＥＳ）、開いているドアまたはウィンドウ３４が閉まったか否かを判定する（Ｓ１２０）。Ｓ１２０において、開いているドアまたはウィンドウ３４が閉まったと判定された場合（Ｓ１２０：ＹＥＳ）、位置検出器２１およびカレンダクロック２３からの入力情報に基づいて検出される現在位置および現在日時を、最後にドアまたはウィンドウが開いていた場所および日時としてメモリ２８に記憶する（Ｓ１３０）。
【００３６】
［虫が侵入しやすいと推定される場所および日時に関する情報の取得および送信］
図３は虫が侵入しやすいと推定される場所および日時に関する情報を取得し、情報センタ３７に送信する処理を示すフローチャートである。
【００３７】
まず、虫検知情報入力器２４からの入力情報に基づいて車内に虫が存在しているか否かを判定し（Ｓ２１０）、車内に虫が存在していると判定した場合（Ｓ２１０：ＹＥＳ）、現在ドアまたはウィンドウ３４が開いているか否かを判定する（Ｓ２２０）。Ｓ２２０において、現在ドアまたはウィンドウ３４が開いていると判定した場合（Ｓ２２０：ＹＥＳ）、現在位置および現在日時を虫が侵入しやすいと推定される場所および日時に関する情報としてメモリ２８に蓄積し（Ｓ２３０）、現在ドアまたはウィンドウ３４が閉まっていると判定した場合（Ｓ２２０：ＮＯ）、Ｓ１３０で記憶した「最後にドアまたはウィンドウが開いていた場所および日時」を、虫が侵入しやすいと推定される場所および日時に関する情報としてメモリ２８に蓄積する（Ｓ２４０）。次に、情報センタ３７と通信可能か否かを判定し（Ｓ２５０）、通信可能と判定した場合（Ｓ２５０：ＹＥＳ）、通信装置３６を介してＳ２３０またはＳ２４０でメモリ２８に記憶された虫が侵入しやすいと推定される場所および日時に関する情報を情報センタ３７に送信する（Ｓ２６０）。Ｓ２５０において通信不可能と判定した場合（Ｓ２５０：ＮＯ）、そのまま処理を終了する。
【００３８】
［メイン処理］
図４は制御回路２９で実行されるメイン処理を示すフローチャートである。
まず、現在位置周辺における虫が侵入しやすいと推定される場所および日時に関する情報の受信を行う（Ｓ３１０）。
【００３９】
ここで、Ｓ３１０における現在位置周辺における虫が侵入しやすいと推定される場所および日時に関する情報の受信処理について、図５に示すフローチャートに基づき説明する。まず、現在位置周辺（例えば現在位置から半径１０ｋｍ以内等）あるいは、ナビゲーション装置１０によって目的地までの経路案内が設定されている場合はその経路上について、情報センタ３７から受信した虫が侵入しやすいと推定される場所および日時に関する情報の最新情報を保有しているか否かを判定する（Ｓ３１１）。なお、情報センタ３７から受信した虫が侵入しやすいと推定される場所および日時に関する情報を受信した日時と共に記憶しておき、例えば２４時間以内に受信した情報を、ここで言う最新情報とみなすようにする。Ｓ３１１において、最新情報を保持していないと判定した場合（Ｓ３１１：ＮＯ）、情報センタ３７と通信可能か否かを判定し（Ｓ３１２）、情報センタ３７と通信可能である場合（Ｓ３１２：ＹＥＳ）、通信装置３６を介して情報センタ３７から虫が侵入しやすいと推定される場所および日時に関する情報の最新情報を受信し（Ｓ３１３）、Ｓ３１４に移行する。Ｓ３１１において、最新情報を保持していると判定した場合（Ｓ３１１：ＹＥＳ）、そのまま図４のＳ３２０へ移行する。Ｓ３１４において、情報センタ３７から情報を受信できたと判定した場合（Ｓ３１４：ＹＥＳ）、受信した情報を受信日時と共に、現在位置周辺における虫が侵入しやすいと推定される場所および日時に関する情報の最新情報としてメモリ２８に更新登録し（Ｓ３１５）、図４のＳ３２０へ移行する。また、何らかの理由で情報センタ３７と通信ができない場合（Ｓ３１２：ＮＯ）や情報の受信に失敗した場合（Ｓ３１４：ＮＯ）には情報の更新を行わずに図４のＳ３２０に移行し（Ｓ３１６）、後述するＳ３２０における処理には、メモリ２８に蓄積されている自車両自ら虫を検知して取得した情報（Ｓ２１０〜Ｓ２４０）や、過去に情報センタ３７から受信した情報を利用する。
【００４０】
なお、情報センタ３７から情報を配信する際は、車両側の要求する季節や日付や時間帯等を考慮した条件に合致する情報のみを選択して配信するようにすれば、不要な情報を送受信することがないため通信負荷を減らすことができる。また、情報センタ３７では車両から送信された虫が侵入しやすいと推定される場所および日時に関する情報を、図示しない外部の気象センタ等から取得した当該場所における当時の天候情報と共に蓄積して、車両から当該場所における情報の配信を要求された場合、情報センタ３７では気象センタ等から取得した当該場所の現在の天候情報を考慮して情報を配信すると良い。そうすれば、車両は情報センタ３７によって天候情報を加味して送信された情報を受信することができる。具体的には、車両から情報センタ３７に送信されてきた情報の当該日時における当該場所の天候が晴天であるならば、情報センタ３７は車両から情報の配信を要求された当該場所の天候が晴天のときのみその情報を配信し、車両に搭載されたパワーウィンドウ制御装置１は情報センタ３７によって天候条件を加味して配信された情報を受信するなどの方法がある。
【００４１】
図４のフローチャートの説明に戻る。Ｓ３１０における情報の受信処理を実行後、現在位置周辺における虫が侵入しやすいと推定される場所および日時に関する情報の最新情報またはメモリ２８に蓄積されている自車両自ら虫を検知して取得した情報や過去に情報センタ３７から受信した情報と、位置検出器２１およびカレンダクロック２３からの入力情報とに基づいて、虫が侵入しやすいと推定される場所および日時に関する情報に対応した所定の範囲に自車両が近接したか否かを判定する（Ｓ３２０）。
【００４２】
なお、ウィンドウ３４を閉めるべき状況を判定する際の基準となる、虫が侵入しやすいと推定される場所および日時に関する情報に対応した所定の範囲の設定の具体例として、例えば、当該日付の前後２週間のうち当該時刻の前後２時間の間に当該場所から半径５ｋｍの範囲に車両が近接した場合にウィンドウ３４を閉めるようにするといった設定が考えられる。この所定の範囲の設定については、記憶されている場所および日時に対してウィンドウ３４を閉める範囲を一意的に定めてもよいが、例えば、虫が発生しやすいと思われる夏季は記憶されている場所および日時を基準に比較的広い範囲を設定したり、虫があまり発生しないと思われる冬季は記憶されている場所および日時を基準に比較的狭い範囲を設定したり、山間部や田園地帯では比較的広い範囲を設定したり、都市部ならば比較的狭く設定するというように、時期や地域を考慮して設定することも好ましい。
【００４３】
Ｓ３２０において、虫が侵入しやすいと推定される場所および日時に関する情報に対応した所定の範囲に自車両が近接したと判定した場合（Ｓ３２０：ＹＥＳ）、ウィンドウセンサ入力器３１からの入力情報に基づいてウィンドウ３４が開いているか否かを判定する（Ｓ３３０）。Ｓ３３０において、ウィンドウ３４が開いていると判定した場合（Ｓ３３０：ＹＥＳ）、パワーウィンドウ制御回路３２を介してウィンドウ駆動機構３３を制御し、ウィンドウ３４を閉める処理を実行する（Ｓ３４０）。Ｓ３３０において、ウィンドウ３４が閉まっていると判定した場合（Ｓ３３０：ＮＯ）、そのまま処理を終了する。
【００４４】
なお、Ｓ３４０においてウィンドウ３４を閉める前に、表示装置２６および音声出力装置２７を用いてウィンドウ３４が自動的に閉まる旨のメッセージを画面に表示したり音声で報知したりすることで乗員に注意を促すと良い。
【００４５】
［効果］
実施例のパワーウィンドウ制御装置１によれば以下のような効果を奏する。即ち、車内に虫が侵入しやすいと推定される状況を場所・日時および天候等を考慮した動的な情報に基づいて判断し、ウィンドウを自動的に閉めることで車内に虫が侵入することを効果的に防ぐことができる。また、実施例のパワーウィンドウ制御装置１は虫が侵入しやすいと推定される場所および日時に関する情報を自車両内で虫を検知することによって取得するので、人が調査する場合と比較して手間もコストもかからない。さらに、虫が侵入しやすいと推定される場所および日時に関する情報を自車両内で虫を検知することで取得し、その取得した情報を情報センタ３７にアップロードするので、実施例のパワーウィンドウ制御装置１を搭載した車両が数多く走行すれば、情報センタ３７には各車両から送信された多くの情報が蓄積されることになる。そして、各車両が情報センタからその蓄積された情報を受信することで多くの情報を共有することができ、その豊富な情報に基づいて、虫の侵入を防ぐためのパワーウィンドウの制御をより効果的に行うことができる。
【００４６】
［別実施例］
（１）虫が侵入しやすいと推定される場所および日時に関する情報に対応した所定の範囲内を車両が走行中であると制御回路２９によって判定される場合、虫が侵入しやすい地域を走行中である旨のメッセージを所定のタイミングで表示装置２６または音声出力装置２７を用いて画面に表示したり音声によって案内したりしても良い。そうすることによって「今ウィンドウを開けると虫が侵入するかもしれない。」ということを利用者に認識させることができる。したがって、虫が侵入しやすいと推定される地域を走行中に利用者が不用意にウィンドウ３４を開けてしまい、その結果車内に虫が侵入するという事態を未然に防止することができる。また、利用者は「今ウィンドウを開けると虫が侵入するかもしれない。」ということを認識した上で、ウィンドウ３４を開けるべき状況の軽重を判断してウィンドウ３４を開けるか否かを判断することができる。なお、虫が侵入しやすいと推定される地域を走行中である旨のメッセージを報知するタイミングとしては、例えば、虫が侵入しやすいと推定される地域に到達した時点や、利用者がウィンドウ３４を開けるためにパワーウィンドウ開閉スイッチ３５の操作を行った時点等、種々のタイミングが挙げられる。
【００４７】
（２）上述の実施例におけるパワーウィンドウ制御装置１では、虫が侵入しやすいと推定される場所および日時に関する情報の授受を情報センタ３７を介して行うが、各車両に搭載されたパワーウィンドウ制御装置１同士で直接情報の授受を行うような構成であっても良い。その場合、通信装置３６は、他の車両に搭載されたパワーウィンドウ制御装置１の通信装置３６との間で直接無線通信を行う。通信方式としては、例えばＤＳＲＣ、BlueTooth（登録商標）、無線ＬＡＮ、ＵＷＢ、ミリ波通信など主に狭域での無線通信方式を採用することが考えられる。また、情報センタ３７を介して情報の授受を行う構成と、パワーウィンドウ制御装置１同士で直接情報の授受を行う構成とを併せて備えるような構成であっても良い。
【図面の簡単な説明】
【００４８】
【図１】本発明の一実施例としてのパワーウィンドウ制御装置１の全体構成を示すブロック図である。
【図２】実施例の制御回路２９で実行される最後にドアまたはウィンドウが開いていた場所および日時を記憶するルーチンを示すフローチャートである。
【図３】実施例の制御回路２９で実行される虫が侵入しやすいと推定される場所および日時に関する情報を取得し、情報センタ３７に送信する処理を示すフローチャートである。
【図４】実施例の制御回路２９で実行されるメイン処理を示すフローチャートである。
【図５】実施例の制御回路２９で実行される虫が侵入しやすいと推定される場所および日時に関する情報を更新するルーチンを示すフローチャートである。
【符号の説明】
【００４９】
１…パワーウィンドウ制御装置、１０…ナビゲーション装置、２１…位置検出器、２１ａ…ＧＰＳ受信機、２１ｂ…ジャイロスコープ、２１ｃ…距離センサ、２１ｄ…地磁気センサ、２２…操作スイッチ群、２３…カレンダクロック、２４…虫検知情報入力器、２５…地図データ入力器、２６…表示装置、２７…音声出力装置、２８…メモリ、２９…制御回路、３０…ドアセンサ入力器、３１…ウィンドウセンサ入力器、３２…パワーウィンドウ制御回路、３３…ウィンドウ駆動機構、３４…ウィンドウ、３５…パワーウィンドウ開閉スイッチ、３６…通信装置、３７…情報センタ
【図１】
2006009415.tif 000003
【図２】
2006009415.tif 000004
【図３】
2006009415.tif 000005
【図４】
2006009415.tif 000006
【図５】
2006009415.tif 000007